(57)【特許請求の範囲】
【請求項１】
扇子の扇部の一部を構成する扇片であって、
係合片を有する第１の扇板と、
前記扇子の要を中心とする円弧状のスライド凹条であって、前記扇片の一側辺から前記扇片の他側辺まで連続して延びるスライド凹条を有し、前記第１の扇板に重なって当該第１の扇板に結合された第２の扇板と、を含み、
個々の前記扇片の前記係合片が、当該扇片の一方側に隣接する扇片のスライド凹条に係合可能であり、
個々の前記扇片の前記スライド凹条に、当該扇片の他方側に隣接する扇片の係合片が係合可能である、扇片。
【請求項２】
前記第１の扇板および前記第２の扇板が、一つの板を折り畳んで形成されている、請求項１に記載の扇片。
【請求項３】
前記第１の扇板および前記第２の扇板が紙を用いて形成されている、請求項１または２に記載の扇片。
【請求項４】
請求項１〜３のいずれか一項に記載の扇片を複数設けて構成される扇部と、
複数の前記扇片の基部同士を結合する要と、を含み、
前記扇片の前記係合片が隣り合う前記扇片の前記スライド凹条に係合することにより、隣り合う扇片同士が連結されている、扇子。
【発明の詳細な説明】
【技術分野】
【０００１】
この発明は、扇片およびそれを備えた扇子に関する。
【背景技術】
【０００２】
従来から、骨部材を用いずに、紙製の扇片を複数連結して、扇状に開閉可能な扇部を構成した扇子が提案されている（特許文献１および特許文献２参照）。
特許文献１に開示されている扇子では、個々の紙製の扇葉をそれぞれ共通する諸元とし、個々の扇葉に、円弧状のスライド溝とクリップ片とが設けられている。個々の扇葉において、スライド溝が、扇葉の一側辺の近傍位置から、扇葉の他側辺の近傍位置まで延びている。そして、扇葉のスライド溝には、一方側に隣接する扇葉のクリップ片が係合し、扇葉のクリップ片は、他方側に隣接する扇葉のスライド溝に係合する。
【０００３】
また、特許文献２に開示されている扇子では、個々の扇片部に、スライド孔と切抜き片とが設けられている。扇片部のスライド孔には、一方側に隣接する扇片部の切抜き片が係合し、扇片部の切抜き片は、他方側に隣接する扇片部のスライド孔に係合する。個々の扇片部の外殻の形状および寸法はそれぞれ共通しており、扇部を閉じた状態において、複数の扇片部の一側辺および他側辺がいずれも揃っている。
【先行技術文献】
【特許文献】
【０００４】
【特許文献１】実開平４−１５４１５号公報（図８）
【特許文献２】実用新案登録第３１７８６２６号公報
【発明の概要】
【発明が解決しようとする課題】
【０００５】
しかしながら、特許文献１の構成では、スライド溝が、扇葉の一側辺から扇葉の他側辺まで形成されていないため、スライド溝の一端と扇葉の一側辺との間に肉部があり、スライド溝の他側辺と扇葉の他側辺との間に肉部がある。したがって、扇子を閉じた状態で、個々の扇葉の一側辺および他側辺が揃わない。その結果、個々の扇葉の寸法に比べ、閉じた状態の扇子が大型化するおそれがある。
【０００６】
また、特許文献２の構成では、スライド孔および切抜き片の位置が、扇片部ごとに異なっている。スライド孔および切抜き片が互いに干渉しないように、スライド孔および切抜き片の位置を、扇片部ごとに異ならせる必要がある。この場合、扇片部の諸元が扇片部ごとに異なる。扇片部の諸元が個々に異なっていると、扇部に含まれる枚数分の種類の扇片部を作成する必要がある。この場合、コストアップにつながる。
【０００７】
すなわち、扇部を構成する複数の扇片の構成を共通化することと、扇部を閉じた状態で一側辺および他側辺が揃うことは、二律背反する課題である。
そこで、この発明の目的は、扇部を構成する複数の扇片に共通して用いることが可能で、かつ、扇子を閉じた状態で一側辺および他側辺が揃うことが可能な扇片を提供することである。
【０００８】
また、この発明の他の目的は、複数の扇片を共通の諸元にすることが可能で、かつ、閉じた状態で複数の扇片の一側辺および他側辺を揃えることが可能な扇子を提供することである。
【課題を解決するための手段】
【０００９】
前記の目的を達成するための請求項１に記載の発明は、扇子の扇部の一部を構成する扇片であって、係合片を有する第１の扇板と、前記扇子の要を中心とする円弧状のスライド凹条であって、前記扇片の一側辺から前記扇片の他側辺まで連続して延びるスライド凹条を有し、前記第１の扇板に重なって当該第１の扇板に結合された第２の扇板と、を含み、個々の前記扇片の前記係合片が、当該扇片の一方側に隣接する扇片のスライド凹条に係合可能であり、個々の前記扇片の前記スライド凹条に、当該扇片の他方側に隣接する扇片の係合片が係合可能である、扇片を提供する。
【００１０】
請求項２に記載の発明は、前記第１の扇板および前記第２の扇板が、一つの板を折り畳んで形成されている、請求項１に記載の扇片である。
請求項３に記載の発明は、前記第１の扇板および前記第２の扇板が紙を用いて形成されている、請求項１または２に記載の扇片である。
請求項４に記載の発明は、請求項１〜３のいずれか一項に記載の扇片を複数設けて構成される扇部と、複数の前記扇片の基部同士を結合する要と、を含み、前記扇片の前記係合片が隣り合う前記扇片の前記スライド凹条に係合することにより、隣り合う扇片同士が連結されている、扇子である。
【発明の効果】
【００１１】
この発明によれば、係合片およびスライド凹条を、それぞれ互いに異なる扇板に設けている。そのため、係合片の配置位置およびスライド凹条の配置位置に、それぞれ自由度を持たせることができる。そのため、扇子の扇部に含まれる複数の扇片を、互いの共通の諸元にすることが可能である。すなわち、扇部を構成する扇片に共通して用いることが可能である。
【００１２】
また、係合片およびスライド凹条を、それぞれ互いに異なる扇板に設けているので、扇子の扇部を閉じた状態で、複数の扇片の一側辺および他側辺を互いに揃えることが可能である。
これにより、扇部を構成する複数の扇片に共通して用いることが可能で、かつ、扇子を閉じた状態で一側辺および他側辺が揃うことが可能な扇片を提供できる。また、複数の扇片を共通の諸元にすることが可能で、かつ、閉じた状態で複数の扇片の一側辺および他側辺を揃えることが可能な扇子を提供できる。
【図面の簡単な説明】
【００１３】
【図１】本発明の一実施形態に係る扇子の、扇部を開いた状態を示す図である。
【図２】扇子に含まれる個々の扇片の図である。
【図３】図２を矢視ＩＩＩから見た図である。
【図４】扇子の、扇部を閉じた状態を示す斜視図である。
【図５】個々の扇片の展開図である。
【発明を実施するための形態】
【００１４】
以下では、この発明の実施形態を、添付図面を参照して詳細に説明する。
図１（ａ）および図１（ｂ）は、本発明の一実施形態に係る扇子１の、扇部２を開いた状態を示す図である。図１（ａ）は、扇子１の正面図であり、図１（ｂ）は、扇子１の背面図である。図２は、扇子１に含まれる個々の扇片３の図である。図２（ａ）は、扇子１の正面図であり、図２（ｂ）は、扇子１の背面図である。
【００１５】
この扇子１は、通常の扇子のように「風を起こす道具」として用いることもできるが、応援グッズ、お品書き、寄せ書き、おもちゃ、販促グッズ、宣伝広告用媒体等に使用することもできる。
扇子１は、扇子１の扇部２を構成する複数（この実施形態では、たとえば６つ）の扇片３と、複数の扇片３の基端部３ａを互いに連結する要４と、を含む。扇子１には、骨部材が用いられていない。扇子１に、文字、絵画等の装飾を付す場合には、この装飾は、個々の扇片３のたとえば前面に配置される。複数の扇片３は、互いに同一の諸元を有している。
【００１６】
個々の扇片３は、長手を有する略扇状をなしている。個々の扇片３の基端部３ａの基端辺は、要４を中心とする半円状をなしている。個々の扇片３の先端辺３ｂは、次に述べるスライド凹条６と同等の曲率半径を有する円弧状をなしている。
個々の扇片３の前面（図１（ａ）の手前側の面）には、要４側に向けて延びる係合片５が形成されている。係合片５は、次に述べるスライド凹条６と前後に重なるような位置に設定されている。
【００１７】
個々の扇片３の背面（図１（ｂ）の手前側の面）には、先端辺３ｂから５分の１程度の位置に、要４を中心とする円弧状のスライド凹条６が形成されている。スライド凹条６は、扇片３の一側辺３ｃから扇片３の他側辺３ｄまで連続して延びている。スライド凹条６は、図１（ａ）等の例では、たとえば、所定の溝幅を有するスライド溝であるが、溝幅を有さない切り込みであってもよい。
【００１８】
個々の扇片３の係合片５が、当該扇片３の前側（一方側）に隣接する扇片３のスライド凹条６に係合可能である。また、個々の扇片３のスライド凹条６には、当該扇片３の後ろ側（他方側）に隣接する扇片３の係合片５が係合可能である。
図３は、扇子１の、扇部２を閉じた状態を示す斜視図である。
図３に示すように、個々の扇片３は、複数枚（この実施形態では、３枚）の板（紙の板）を重ね合わせることによって設けられている。個々の扇片３は、扇片３の前面を構成する前面板として機能する第１の扇板７と、扇片３の背面を構成する背面板として機能する第２の扇板８と、第１の扇板７を第２の扇板８に結合させるための結合板として機能し、かつ補強板として機能する第３の扇板９と、を含む。第１の扇板７と、第２の扇板８と、第３は、互いに結合されている。係合片５は、第１の扇板７に形成されている。スライド凹条６は、第２の扇板８に形成されている。
【００１９】
図４（ａ）および図４（ｂ）は、扇子１の、扇部２を閉じた状態を示す斜視図である。図４（ａ）は、扇子１を前斜め上側から見た図であり、図４（ｂ）は、扇子１を後斜め上側から見た図である。図４（ａ）および図４（ｂ）に示すように、扇子１の扇部２を閉じた状態で、複数の扇片３の一側辺３ｃおよび他側辺３ｄを互いに揃えることが可能である。
【００２０】
図５は、個々の扇片３の展開図（すなわち、扇片３として組み立てられる前の板紙ブランク１０の平面図）である。
板紙ブランク１０は、紙器用板紙である。個々の扇片３は、図５に示す板紙ブランク１０が折り畳まれることにより形成される。板紙ブランク１０は、平板状の紙板を、プレス打ち抜き装置によって所定の形状に打ち抜き、かつ、所定位置に罫線を付すことにより形成される。図５においては、山折り線を破線で示す。この実施形態では、板紙ブランク１０は、扇片３が有する強度（剛性）との兼ね合いから、２７０ｇ／ｍ２以上４００ｇ／ｍ２以下のコート紙であることが好ましい。
【００２１】
図５に示すように、板紙ブランク１０は、扇片３の前面を構成する第１の板紙１１と、扇片３の背面を構成する第２の板紙１２と、第１の板紙１１と第２の板紙１２とを結合するための第３の板紙１３と、を含む。第１の板紙１１、第２の板紙１２および第３の板紙１３は、一方向に連なっている。
第１の板紙１１は、板紙ブランク１０が扇片３に組み立てられた状態で、扇片３の第１の扇板７を構成する。第１の板紙１１は、扇片３に整合する形状である。第１の板紙１１の長辺である側辺１１ａから入り込んだ切り込みによって、第１の板紙１１に、係合片５が形成されている。第１の板紙１１の長手方向の基端部には、挿通穴１１ｈが形成されている。
【００２２】
第２の板紙１２は、板紙ブランク１０が扇片３に組み立てられた状態で、扇片３の第２の扇板８を構成する。第２の板紙１２は、扇片３に整合する形状である。第２の板紙１２は、第１の板紙１１の長辺である側辺１１ｂに沿って設けられた折り線Ｌ１を介して連なっている。第２の板紙１２に、スライド凹条６が形成されている。第２の板紙１２の長手方向の基端部には、挿通穴１２ｈが形成されている。
【００２３】
第３の板紙１３は、板紙ブランク１０が扇片３に組み立てられた状態で、扇片３の第３の扇板９を構成する。第３の板紙１３は、第２の板紙１２の長辺である側辺１２ａに沿って設けられた折り線Ｌ２を介して連なっている。第３の板紙１３には、側辺１２ａに沿って側辺１２ａの近傍に糊付け部１４が配置されている。第３の板紙１３の長手方向の基端部には、挿通穴１３ｈが形成されている。
【００２４】
図５に示す展開図の状態から、板紙ブランク１０を、自動製函機を用いて、板紙ブランク１０の折り線Ｌ１、Ｌ２に沿って山折りに折り畳み、かつ、第１の板紙１１の側辺１１ａ付近を、第３の板紙１３の糊付け部１４に貼り付けることにより、扇片３が形成される。この状態で、挿通穴１１ｈ、挿通穴１２ｈおよび挿通穴１３ｈが互いに整合し、これにより、扇片３の基端部３ａに、一つの挿通穴１５を形成する。
【００２５】
このように形成された複数（図１（ａ）等の例では６つ）の扇片３を、前後に並べる。そして、個々の扇片３の係合片５を、当該扇片３の前側に隣接する扇片３のスライド凹条６に係合させる。また、個々の扇片３のスライド凹条６に、当該扇片３の後ろ側に隣接する扇片３の係合片５が係合させる。このとき、最も前側に位置する扇片３のスライド凹条６には、いずれの扇片３の係合片５も係合しない。また、最も背方に位置する扇片３の係合片５は、いずれの扇片３のスライド凹条６にも係合しない。
【００２６】
そして、複数の扇片３の挿通穴１５に、要４を挿通させる。要４は、この実施形態では、連結ピン１６を含む。連結ピン１６は、雄部１６ａと雌部１６ｂとを含む。この実施形態では、複数の扇片３の挿通穴１５に、たとえば雄部１６ａを前側から、たとえば雌部１６ｂを後ろ側から挿入し、雄部１６ａと雌部１６ｂとを互いに結合させる。これにより、複数の扇片３の連結が達成され、扇子１が形成される。雄部１６ａと雌部１６ｂとが、互いにねじ結合可能であってもよい。
【００２７】
この実施形態によれば、係合片５およびスライド凹条６を、それぞれ互いに異なる扇板（第１の扇板７および第２の扇板８）に設けている。そのため、係合片５の配置位置およびスライド凹条６の配置位置に、それぞれ自由度を持たせることができる。そのため、扇子１の扇部２に含まれる複数の扇片３を、互いに共通の諸元に設けることが可能である。すなわち、扇部２を構成する扇片３に共通して用いることが可能である。
【００２８】
また、係合片５およびスライド凹条６を、それぞれ互いに異なる扇板（第１の扇板７および第２の扇板８）に設けているので、扇子１の扇部２を閉じた状態で、複数の扇片３の一側辺３ｃおよび他側辺３ｄを、互いに揃えることが可能である。
ゆえに、扇部２を構成する複数の扇片３に共通して用いることが可能で、かつ、扇子を閉じた状態で一側辺３ｃおよび他側辺３ｄが揃うことが可能な扇片３を提供できる。また、複数の扇片３を共通の諸元にすることが可能で、かつ、閉じた状態で複数の扇片３の一側辺３ｃおよび他側辺３ｄを揃えることが可能な扇子１を提供できる。
【００２９】
また、個々の扇片３が、複数の扇板７，８，９を重ねて構成されているので、１枚の板材単独で個々の扇片を構成する場合と比較して、個々の扇片３の剛性および強度が高い。そのため、開いた状態の扇部２の剛性が高い。したがって、扇片３の材質として紙を用いる場合であっても、開いた状態の扇部２の剛性を高く保つことができる。これにより、扇子１を扇いだときに扇片３が変形することを抑制または防止できる。
【００３０】
また、個々の扇片３の剛性および強度が高いので、スムーズに扇部２を開閉できる。
以上、この発明の一実施形態について説明したが、この発明は、他の形態で実施することもできる。
たとえば、扇片３を、３枚の扇板７，８，９を重ねて構成するのでなく、４枚以上の扇板を重ねて構成するようにしてもよい。扇板の枚数の増大により、扇片３の剛性および強度を増大させることができる。
【００３１】
また、前述の実施形態では、個々の扇片３において、第３の板紙１３と、第１の板紙１１および第２の板紙１２との結合を、糊（糊付け部１４）を用いた貼着により達成するとして説明したが、これらの結合を、貼着以外の手法で達成するようにしてもよい。たとえば、第３の板紙１３に係合片を外付けにより設け、この係合片を、第１の板紙１１と第２の板紙１２との境界部分（折り線Ｌ２）上に部分的に形成された切り込み（図示しない）に差し込むことにより、第３の板紙１３と、第１の板紙１１および第２の板紙１２との結合を達成するようにしてもよい。
【００３２】
また、前述の実施形態では、扇子１に含まれる扇片３の個数を６つとしたが、扇子１に含まれる扇片３の個数は、５つ未満であってもよいし、７つ以上であってもよい。
そして、扇子１に含まれる扇片３の個数を比較的多く設ける場合には、扇部２を開いた状態で扇子１が略半円状をなしてもよいし、略全円状をなしてもよい。
各扇片３の寸法およびサイズは、適宜変更可能である。
【００３３】
また、前述の実施形態では、板紙ブランク１０を用いて扇片３を形成するとして説明したが、板ブランクが、段ボール原紙や雑板紙等の板紙以外の板（紙製）を用いて形成されていてもよい。また、板ブランクが、合成樹脂板（より具体的には、たとえば塩ビ、ポリエチレン（ＰＥ）、ポリプロピレン（ＰＰ）、ポリエチレンテフタレート（ＰＥＴ）等を用いて形成された樹脂板）を用いて形成されていてもよい。
【００３４】
また、前述の実施形態では、扇片３を、自動製函機（図示しない）による機械貼りによって製函するものを例に挙げて説明したが、手貼りにより形成される扇片に、この構成を採用することもできる。
その他、特許請求の範囲に記載された事項の範囲で種々の設計変更を施すことが可能で
ある。
【符号の説明】
【００３５】
１      ：扇子
２      ：扇部
３      ：扇片
４      ：要
５      ：係合片
６      ：スライド凹条
７      ：第１の扇板
８      ：第２の扇板
１０    ：板紙ブランク
【要約】
【課題】扇部を構成する複数の扇片に共通して用いることが可能で、かつ、扇子を閉じた状態で一側辺および他側辺が揃うことが可能な扇片を提供する。複数の扇片を共通の諸元にすることが可能で、かつ、閉じた状態で複数の扇片の一側辺および他側辺を揃えることが可能な扇子を提供する。
【解決手段】個々の扇片３の前面を構成する第１の扇板には、要４側に向けて延びる係合片５が形成されている。個々の扇片３の背面を構成する第２の扇板には、要４を中心とする円弧状のスライド凹条６が形成されている。スライド凹条６は、扇片３の一側辺から扇片３の他側辺まで連続して延びている。個々の扇片３の係合片５が、当該扇片３の前側に隣接する扇片３のスライド凹条６に係合する。また、個々の扇片３のスライド凹条６に、当該扇片３の後ろ側に隣接する扇片３の係合片５が係合する。
【選択図】図１【図１】
0006802579.tif 000002
【図２】
0006802579.tif 000003
【図３】
0006802579.tif 000004
【図４】
0006802579.tif 000005
【図５】
0006802579.tif 000006